(57)【特許請求の範囲】
【請求項１】
茶樹畝を跨いで走行する乗用車体に、茶樹畝の上面に臨んで茶樹の茶葉を摘採する摘採装置と、該摘採装置により摘採された摘採茶葉を搬送する揚上搬送ダクトと、該揚上搬送ダクトにより搬送された摘採茶葉を上方搬入部から搬入するコンテナとが搭載された乗用型茶葉摘採機であって、刈りならし作業にあたっては、前記摘採装置により切断された切断枝葉をコンテナの上方搬入部からコンテナの下方搬出部を経由して茶樹畝の畝間へ誘導する誘導排出装置が着脱可能に設置されることを特徴とする乗用型茶葉摘採機。
【請求項２】
前記誘導排出装置は、コンテナの上方搬入部から搬入された切断枝葉をコンテナの下方両側部に設けられた各下方搬出部を経由して茶樹畝両側の畝間へ誘導することを特徴とする請求項１に記載された乗用型茶葉摘採機。
【請求項３】
前記誘導排出装置は、コンテナの上方搬入部の垂線を横切って車体側方へ下降傾斜するスライダーにより構成されており、該スライダーは、スライダー本体に対して補助スライダーが傾斜方向に伸縮調整可能に装着されていると共に、コンテナに対して傾斜調整可能に装設されていることを特徴とする請求項１又は２に記載された乗用型茶葉摘採機。
【請求項４】
前記誘導排出装置は、コンテナの上方搬入部の垂線を横切って車体側方へ下降傾斜するスライダーにより構成されており、該スライダーの下側部には切断枝葉の誘導間隙を介して飛散防止カバーが対設されていることを特徴とする請求項１〜３のいずれか１項に記載された乗用型茶葉摘採機。
【請求項５】
前記誘導排出装置は、コンテナの上方搬入部を覆ってコンテナ内に着脱可能に装着されるダクト基体と、該ダクト基体の下流口に基部が接続され且つ茶樹畝間に臨む先端部が機体側に着脱可能に装着されるダクトホースとからなる誘導ダクトにより構成されていることを特徴とする請求項１又は２に記載された乗用型茶葉摘採機。
【請求項６】
前記誘導ダクトのダクト基体には、揚上搬送ダクトからの搬送風の風圧を降下させるための風抜き用の分離口が設けられていることを特徴とする請求項５に記載された乗用型茶葉摘採機。
【発明の詳細な説明】
【０００１】
【発明の属する技術分野】
本発明は、コンテナを搭載した乗用型茶葉摘採機に関し、詳しくは、茶葉の摘採作業と共に、枝葉の刈りならし作業にも兼用することができる乗用型茶葉摘採機に関するものである。
【０００２】
【従来の技術】
従来、この種の乗用型茶葉摘採機として、茶樹畝を跨いで走行する乗用車体に、茶樹畝の上面に臨んで茶樹の茶葉を摘採する摘採装置と、該摘採装置により摘採された摘採茶葉を搬送する送風搬送ダクトと、該送風搬送ダクトにより搬送された摘採茶葉を搬入する摘採物収容装置とが搭載された乗用型茶葉摘採機において、刈りならし作業にあたっては、摘採装置により切断された切断枝葉を送風搬送ダクトから茶樹畝の畝間へ落下させる刈落し装置を送風搬送ダクトの搬出側に着脱自在に連結するものが知られている（特開平８−２１４６６８号公報参照）。
【０００３】
【発明が解決しようとする課題】
しかしながら、上記従来技術の乗用型茶葉摘採機においては、送風搬送ダクトの搬出側に一体的に連設された摘採物分離体に対して刈落し装置を着脱自在に連結するものであり、しかも、該摘採物分離体の下部側に摘採物収容装置が配置されているものであるから、刈りならし作業時に摘採物分離体に対して刈落し装置を連結するあたっては、摘採物収容装置を機体から取り外さないと摘採物分離体の下部側に連結する刈落し装置のための設置スペースを確保することができないという不都合があった。
【０００４】
また、刈りならし作業時に刈落し装置を摘採物分離体に連結するためには摘採物収容装置を機体から取り外さなければならないから、刈りならし作業終了後には茶葉摘採作業に備えて摘採物収容装置を再び機体に取り付けなければならず、刈りならし作業に際して、摘採物収容装置の取外し取付けの面倒な作業が付随するという不都合があった。
【０００５】
本発明は、上記従来技術における問題点を解決するもので、刈りならし作業における切断枝葉の誘導排出装置を、コンテナを搭載した状態でコンテナ内スペースを利用して設置することにより、誘導排出装置の設置スペースの兼用化と設置作業の簡易化とを図ることができる乗用型茶葉摘採機を提供することを目的とするものである。
【０００６】
【課題を解決するための手段】
上記目的を達成するために、請求項１に係る発明は、茶樹畝を跨いで走行する乗用車体に、茶樹畝の上面に臨んで茶樹の茶葉を摘採する摘採装置と、該摘採装置により摘採された摘採茶葉を搬送する揚上搬送ダクトと、該揚上搬送ダクトにより搬送された摘採茶葉を上方搬入部から搬入するコンテナとが搭載された乗用型茶葉摘採機であって、刈りならし作業においては、前記摘採装置により切断された切断枝葉をコンテナの上方搬入部からコンテナの下方搬出部を経由して茶樹畝の畝間へ誘導する誘導排出装置が着脱可能に設置されるものである。
【０００７】
請求項１に係る発明によれば、刈りならし作業においては、前記摘採装置により切断された切断枝葉をコンテナの上方搬入部からコンテナの下方搬出部を経由して茶樹畝の畝間へ誘導する誘導排出装置が着脱可能に設置されるものであるから、誘導排出装置により、摘採装置で切断された切断枝葉を茶樹畝の畝間へ誘導して排出することができるのであるが、特に、誘導排出装置は切断枝葉をコンテナの上方搬入部からコンテナの下方搬出部を経由して茶樹畝の畝間へ誘導するものであるから、コンテナ内スペースを誘導排出装置の設置スペースとして利用することができるため、誘導排出装置の設置スペースを別途確保する必要がなく、誘導排出装置の設置スペースの兼用化を図ることができると共に、誘導排出装置はコンテナを搭載した状態で設置することができるため、コンテナの取外し取付けの面倒な作業が付随することがなく、誘導排出装置の設置作業の簡易化を図ることができる。
【０００８】
請求項２に係る発明は、請求項１に記載された発明において、誘導排出装置は、コンテナの上方搬入部から搬入された切断枝葉をコンテナの下方両側部に設けられた各下方搬出部を経由して茶樹畝両側の畝間へ誘導するものである。
【０００９】
請求項２に係る発明によれば、誘導排出装置は、コンテナの上方搬入部から搬入された切断枝葉をコンテナの下方両側部に設けられた各下方搬出部を経由して茶樹畝両側の畝間へ誘導するものであるから、摘採装置により切断された切断枝葉は二分割されて茶樹畝両側の畝間へ効率よく誘導されるため、摘採装置による切断作業の能率アップに寄与することができる。
【００１０】
請求項３に係る発明は、請求項１又は２に記載された発明において、誘導排出装置は、コンテナの上方搬入部の垂線を横切って車体側方へ下降傾斜するスライダーにより構成されており、該スライダーは、スライダー本体に対して補助スライダーが傾斜方向に伸縮調整可能に装着されていると共に、コンテナに対して傾斜調整可能に装設されているものである。
【００１１】
請求項３に係る発明によれば、誘導排出装置は下降傾斜するスライダーにより構成されているから、誘導排出装置の誘導路としてコンテナ内スペースを利用することができるため、切断枝葉を効率よく誘導することができ、しかも、スライダーは傾斜方向に伸縮調整可能で且つ傾斜調整可能であるから、畝幅の異なる茶樹畝の刈りならし作業においてもスライダーの長さ及び傾斜を調整することにより切断枝葉を茶樹畝の畝間へ誘導して排出することができる。
【００１２】
請求項４に係る発明は、請求項１〜３のいずれか１項に記載された発明において、誘導排出装置は、コンテナの上方搬入部の垂線を横切って車体側方へ下降傾斜するスライダーにより構成されており、該スライダーの下側部には切断枝葉の誘導間隙を介して飛散防止カバーが対設されているものである。
【００１３】
請求項４に係る発明によれば、スライダーの下側部には切断枝葉の誘導間隙を介して飛散防止カバーが対設されているから、下降傾斜するスライダーに沿って落下する切断枝葉は、飛散防止カバーにより隣接の茶樹畝の上面に飛散することなく茶樹畝の畝間へ誘導して排出することができる。
【００１４】
請求項５に係る発明は、請求項１又は２に記載された発明において、誘導排出装置は、コンテナの上方搬入部を覆ってコンテナ内に着脱可能に装着されるダクト基体と、該ダクト基体の下流口に基部が接続され且つ茶樹畝間に臨む先端部が機体側に着脱可能に装着されるダクトホースとからなる誘導ダクトにより構成されているものである。
【００１５】
請求項５に係る発明によれば、誘導排出装置は、コンテナの上方搬入部を覆うダクト基体に接続されたダクトホースとからなる誘導ダクトにより構成されているものであるから、コンテナの上方搬入部から搬入される切断枝葉を、コンテナ内に散乱させることなくダクトホースにより茶樹畝の畝間へ誘導して排出することができる。
【００１６】
請求項６に係る発明は、請求項５に記載された発明において、誘導ダクトのダクト基体には、揚上搬送ダクトからの搬送風の風圧を降下させるための風抜き用の分離口が設けられているものである。
【００１７】
請求項６に係る発明によれば、誘導ダクトのダクト基体には風抜き用の分離口が設けられているものであるから、摘採装置で切断された切断枝葉が揚上搬送ダクト内を搬送風により搬送されて誘導ダクトにより茶樹畝の畝間へ誘導排出される際に、ダクト基体に設けられた風抜き用の分離口から切断枝葉を搬送する搬送風のほとんどが排出され、分離口により分離された切断枝葉は、誘導ダクトのダクトホース内を落下して茶樹畝の畝間への排出時に飛散することなく排出される。
【００１８】
【発明の実施の形態】
以下、本発明の実施の形態を図に基づいて説明するが、本発明は、茶樹の茶葉を摘採する摘採作業を行うコンテナを搭載した乗用型茶葉摘採機であり、この乗用型茶葉摘採機を茶樹の枝葉を切断する刈りならし作業にも兼用することができるもので、乗用型茶葉摘採機の摘採装置により切断した切断枝葉を茶樹畝の畝間へ誘導排出装置で誘導排出することにより、刈りならし作業を行うものである。図１，図２及び図３は、刈りならし作業時において乗用型茶葉摘採機に誘導排出装置としてのスライダーを設置した第一実施例であり、また、図４及び図５は、同じく刈りならし作業時において乗用型茶葉摘採機に誘導排出装置としての誘導ダクトを設置した第二実施例であり、したがって、茶樹の茶葉を摘採する摘採作業を行うコンテナを搭載した乗用型茶葉摘採機としては、第一実施例と第二実施例とにおいて共通のものが示されている。
【００１９】
先ず、図１及び図２を参照しながら、茶樹の茶葉を摘採する摘採作業を行うコンテナを搭載した乗用型茶葉摘採機について説明する。図１において、１は乗用型茶葉摘採機の乗用車体であり、乗用車体１は左右一対のクローラ走行装置１１，１１により茶樹畝を跨いで茶樹畝の両側の畝間を走行する。また、乗用車体１には左右一対の送風機２，２が搭載されており、各送風機２，２はそれぞれ伸縮ダクト２１，２１を介してバリカン式の摘採装置３の摘採チャンバー３１に連通され、摘採チャンバー３１はさらに左右一対の揚上搬送ダクト４，４を介して左右に対設された上方搬入部５１，５１からコンテナ５に連通されており、左右一対の送風機２，２は乗用車体１に対して固定されているのに対して、摘採装置３，左右一対の揚上搬送ダクト４，４及びコンテナ５は乗用車体１に対して昇降調節自在に支持されている。なお、左右一対の送風機２，２は、大型の送風機を１基としてもよく、この場合には、１基の送風機から分岐ダクトを介して各伸縮ダクト２１，２１に連通される。
【００２０】
茶樹の茶葉を摘採する摘採作業を行うコンテナ５を搭載した乗用型茶葉摘採機は上記のように構成されているから、茶樹畝の高さに応じ、また、茶樹の茶葉を摘採する摘採作業や茶樹の枝葉を切断する刈りならし作業の作業内容に応じて、摘採装置３の高さを調節することができるもので、摘採装置３により摘採された摘採チャンバー３１内の摘採茶葉は、左右一対の送風機２，２から各伸縮ダクト２１，２１を経由された搬送風により、左右一対の揚上搬送ダクト４，４を介して上方搬入部５１，５１からコンテナ５内に搬入されて収容されるものである。
【００２１】
次に、図１及び図２を参照して、刈りならし作業時において乗用型茶葉摘採機に誘導排出装置としてのスライダー６を設置した第一実施例について説明する。誘導排出装置は、コンテナ５の左右に対設された上方搬入部５１，５１の各垂線を横切って車体の両側方へ下降傾斜する、頂部が折曲自在な山形状に形成された左右対称のスライダー本体６１と、スライダー本体６１の両下部の裏面側に傾斜方向に伸縮調整可能に装着されている各補助スライダー６２，６２とからなるスライダー６により構成されており、スライダー６は、スライダー本体６１の頂部がコンテナ５内面の上方における左右中央部に設けられたスライダー吊り支持具６３に支持され、且つ各補助スライダー６２，６２がコンテナ５の下方両側部に設けられた各下方搬出部５２，５２を経由して茶樹畝Ｔの両側の畝間まで延設されている。
【００２２】
そして、スライダー本体６１の両下部の裏面側に装着される各補助スライダー６２，６２による傾斜方向の伸縮調整は、各補助スライダー６２，６２の前後方向の両側に穿設された傾斜方向の伸縮調整用長孔６４と、伸縮調整用長孔６４とスライダー本体６１とに共に貫通する伸縮調整用固定ねじ６５とによって行われ、また、スライダー６は、その両下部の裏面側が、コンテナ５の下方両側部に設けられた各下方搬出部５２，５２に対称的に螺着された複数の傾斜調整用支持ねじ６６により支持されており、スライダー６の傾斜調整は、傾斜調整用支持ねじ６６の着脱とスライダー本体６１の折曲自在な頂部との協働によって行われる。なお、スライダー本体６１をその頂部が折曲自在な山形状に形成されたものについて説明したが、スライダー本体６１は、その頂部で分割してそれぞれの分割された各スライダー本体６１，６１の頂部に引掛け部を形成して、各スライダー本体６１，６１を個別に引掛けるようにしてもよい。
【００２３】
さらに、図３を参照しながら、誘導排出装置としてのスライダー６の下両側部には、切断枝葉の誘導間隙を介してそれぞれ飛散防止カバー６７が対向して車体側のブラケット６７１に設けられており、飛散防止カバー６７は、水平壁６７２に車体の両側方へ下降傾斜する傾斜壁６７３を介し垂直壁６７４が連続して形成され、水平壁６７２及び傾斜壁６７３は、それぞれ幅方向及び傾斜方向に伸縮調整用長孔と伸縮調整用固定ねじによって伸縮調整可能に構成されており、これにより、畝幅の異なる茶樹畝Ｔの刈りならし作業においても、飛散防止カバー６７を畝間の間隙幅に調整して、切断枝葉を隣接の茶樹畝Ｔ上面に飛散させることなく、茶樹畝Ｔの畝間へ誘導して排出することができる。
【００２４】
次に、図４及び図５を参照して、刈りならし作業時において乗用型茶葉摘採機に誘導排出装置としての誘導ダクト７を設置した第二実施例について説明する。誘導排出装置は、コンテナ５に対設された上方搬入部５１，５１を個別に覆ってコンテナ５内に着脱可能に装着されるダクト基体７１，７１と、それぞれのダクト基体７１の下流口に基部が接続されたフレキシブルなダクトホース７３，７３とからなる一対の誘導ダクト７，７により構成されており、各ダクト基体７１，７１には、揚上搬送ダクト４からの搬送風の風圧を降下させるための金網で覆われた風抜き用の分離口７２が設けられ、各ダクトホース７３，７３は、コンテナ５の下方両側部に設けられた各下方搬出部５２，５２を経由して茶樹畝Ｔの畝間に臨む先端部が機体側にダクト装着バンド７４により着脱可能に装着される。
【００２５】
そして、誘導ダクト７のダクト基体７１に風抜き用の分離口７２が設けられていることにより、摘採装置３で切断された切断枝葉が揚上搬送ダクト４内を搬送風により搬送されて誘導ダクト７により茶樹畝Ｔの畝間へ誘導排出される際に、分離口７２から切断枝葉を搬送する搬送風のほとんどが排出され、分離口７２により分離された切断枝葉は、誘導ダクト７のダクトホース７３内を落下して茶樹畝Ｔの畝間への排出時に飛散することなく排出される。また、図示は省略しているが、ダクト装着バンド７４を機体に対して幅方向に調節可能に取付けることにより、畝幅の異なる茶樹畝Ｔの刈りならし作業にも適用可能となる。
【００２６】
なお、上述した第一実施例及び第二実施例は、いずれも茶樹の枝葉を切断する刈りならし作業において、摘採装置３により切断した切断枝葉を、コンテナ５の左右に対設された上方搬入部５１，５１からコンテナ５の下方両側部に設けられた各下方搬出部５２，５２を経由して茶樹畝Ｔの両側の畝間へ誘導排出する場合の誘導排出装置６，７ついて説明したが、切断枝葉を１個の上方搬入部５１から茶樹畝Ｔの片側の畝間へ誘導排出する場合には、第一実施例の誘導排出装置としては一方傾斜のスライダー６でよく、第二実施例の誘導排出装置としては一方の誘導ダクト７のみでよい。また、本発明における誘導排出装置６，７は、茶樹の枝を切断して整える整枝作業にも適用可能であり、この場合には、摘採装置に整枝が採用される。
【００２７】
【発明の効果】
以上のように構成される本発明によると、刈りならし作業においては、摘採装置により切断された切断枝葉をコンテナの上部搬入部からコンテナの下方搬出部を経由して茶樹畝の畝間へ誘導する誘導排出装置が着脱可能に設置されるものであるから、誘導排出装置により、摘採装置で切断された切断枝葉を茶樹畝の畝間へ誘導して排出することができるため、切断枝葉は刈りならし作業の終わった茶樹畝の上面に落下することがないので、新芽の茶葉摘採作業時において古葉の混入がなく、品質の良い茶葉を収穫することができるのであるが、特に、誘導排出装置は切断枝葉をコンテナの上部搬入部からコンテナの下方搬出部を経由して茶樹畝の畝間へ誘導するものであるから、コンテナ内スペースを誘導排出装置の設置スペースとして利用することができるため、誘導排出装置の設置スペースを別途確保する必要がなく、誘導排出装置の設置スペースの兼用化を図ることができると共に、誘導排出装置はコンテナを搭載した状態で設置することができるため、コンテナの取外し取付けの面倒な作業が付随することがなく、誘導排出装置の設置作業の簡易化を図ることができる。
【図面の簡単な説明】
【図１】本発明に係る乗用型茶葉摘採機の第一実施例の側面図で、コンテナの側壁を除去して内部を示した説明図である。
【図２】本発明に係る乗用型茶葉摘採機の第一実施例の背面図で、コンテナの一部を縦断して内部を示した説明図である。
【図３】本発明に係る乗用型茶葉摘採機の第一実施例における飛散防止カバーの分解斜視図である。
【図４】本発明に係る乗用型茶葉摘採機の第二実施例の側面を示した説明図である。
【図５】本発明に係る乗用型茶葉摘採機の第二実施例の背面図で、コンテナの一部を縦断して内部を示した説明図である。
【符号の説明】
１  …乗用車体
３  …摘採装置
４  …揚上搬送ダクト
５  …コンテナ
５１…上方搬入部
５２…下方搬出部
６  …誘導排出装置としてのスライダー
６１…スライダー本体
６２…補助スライダー
６３…スライダー吊り支持具
６４…伸縮調整用長孔
６５…伸縮調整用固定ねじ
６６…傾斜調整用支持ねじ
６７…飛散防止カバー
７  …誘導排出装置としての誘導ダクト
７１…ダクト基体
７２…分離口
７３…ダクトホース
７４…ダクト装着バンド
Ｔ  …茶樹畝
【図１】
0003841706.tif 000002
【図２】
0003841706.tif 000003
【図３】
0003841706.tif 000004
【図４】
0003841706.tif 000005
【図５】
0003841706.tif 000006